(57)【要約】      （修正有）【課題】ディジタル放送の受信及び記録再生装置において、記録した番組を複雑な操作をすることなく直ちに再生できるようにする。【解決手段】映像信号、音声信号、ＰＭＴ、及び番組関連情報が多重化されて送信されるディジタル信号を受信し、所望の番組に関連する映像信号、音声信号、ＰＭＴ、及び番組関連情報を分離手段で分離し、所望の番組に関連した情報だけを記録することで、再生時には使用者が複雑な操作をしなくても自動的に直ちに記録した番組を再生することができる。【選択図】図１
2010051007.tif 000002
【特許請求の範囲】
【請求項１】
ディジタル放送信号受信装置であって、
映像信号、音声信号、PMT（Program Map Table）、及び番組に関する情報である番組関連情報が多重されてなるディジタル放送信号を受信する受信手段と、
前記受信手段により受信された前記ディジタル放送信号から、所望の番組に関連する映像信号、音声信号、PMT、および番組関連情報を分離する分離手段と、
前記分離手段により分離された、前記所望の番組に関連する映像信号、音声信号、PMT、及び番組関連情報を出力する出力手段と、
を備えることを特徴とするディジタル放送信号受信装置。
【請求項２】
ディジタル放送信号受信装置におけるディジタル放送信号受信方法であって、
映像信号、音声信号、PMT（Program Map Table）、及び番組に関する情報である番組関連情報が多重されてなるディジタル放送信号を受信し、
前記受信されたディジタル放送信号から、所望の番組に関連する映像信号、音声信号、PMT、および番組関連情報を分離し、
前記分離された前記所望の番組に関連する映像信号、音声信号、PMT、及び番組関連情報を出力する、
ことを特徴とするディジタル放送信号受信方法。
【請求項３】
ディジタル信号処理装置であって、
映像信号、音声信号、PMT（Program Map Table）、及び番組に関する情報である番組関連情報が多重されてなるディジタル信号を入力する入力手段と、
前記入力手段に入力された前記ディジタル信号から、所望の番組に関連する映像信号、音声信号、PMT、および番組関連情報を分離する分離手段と、
前記分離手段により分離された、前記所望の番組に関連する映像信号、音声信号、PMT、及び番組関連情報を出力する出力手段と、
を備えることを特徴とするディジタル信号処理装置。
【請求項４】
ディジタル信号処理装置におけるディジタル信号処理方法であって、
映像信号、音声信号、PMT（Program Map Table）、及び番組に関する情報である番組関連情報が多重されてなるディジタル信号の入力を受け付け、
前記入力されたディジタル信号から、所望の番組に関連する映像信号、音声信号、PMT、および番組関連情報を分離し、
前記分離された前記所望の番組に関連する映像信号、音声信号、PMT、及び番組関連情報を出力する、
ことを特徴とするディジタル信号処理方法。
【発明の詳細な説明】
【技術分野】
【０００１】
本発明は、テレビジョン信号の受信及び記録再生装置に関し、特にディジタル信号のまま記録し再生するディジタル放送信号の受信及び記録再生装置に関する。
【背景技術】
【０００２】
従来のディジタル信号を記録して再生する技術としては、複数の情報が多重されて伝送されてくるディジタル信号を受信して記録する受信システム及び記録再生装置が特開平８−９８１６４で述べられている。前記従来の技術においては、複数の情報が多重化されて伝送されてくるディジタル情報信号を受信し所望の情報を選択する受信手段と、上記受信手段で受信された情報を記録する記録手段から構成される受信システムについて述べられている。また、複数の情報が多重されて伝送されてくるディジタル信号を受信して番組を提示する際に所望の番組を選択する技術が特開平８−５６３５０に述べられている。前記従来技術においては、複数の番組がそれぞれパケット識別子を付加されてパケット化されるとともに前記番組と前記パケット識別子との対応関係を示す伝送制御データもパケット化され、これらの各パケットが多重化されて電送されてくる多重化信号の中から各番組を探索する装置が述べられている。
【先行技術文献】
【特許文献】
【０００３】
【特許文献１】特開平８−５６３５０号公報
【発明の概要】
【発明が解決しようとする課題】
【０００４】
前述の特開平８−９８１６４で述べられている従来技術においては、記録した番組の再生時に多重された情報から所望の番組に関する情報だけを分離して再生する方法については述べられていない。一方、特開平８−５６３５０で述べられている従来技術においては多重されたディジタル信号から所望の信号を取り出して提示する探索手段について述べられている。しかし、例えば従来からあるアナログ方式のＶＴＲに記録した番組を再生しようとする場合は再生用のスイッチを押すだけでその他の操作を特にしなくても再生できるのが一般的であるのに対し、前述の特開平８−９８１６４で述べられているディジタル情報信号の技術と特開平８−５６３５０で述べられている技術を組み合わせても再生する際には例えば番組探索などの面倒な操作を行わなければならず、前述のアナログ方式ＶＴＲのようにスイッチを１つ押しただけで直ちに記録した所望の番組を再生する方法は実現できなかった。
【０００５】
本発明は、ディジタル信号のまま記録した番組を面倒な操作をすること無しに直ちに再生することが出来る受信装置を提供することを目的とする。
【課題を解決するための手段】
【０００６】
上記課題を解決するために、例えば、複数の番組がパケット形式に多重されたデジタル信号から映像信号、音声信号及びデジタル信号の復号において必要となる時間情報を分離し、さらに、そこから所望の番組に関連する映像信号、音声信号及び時間情報のみを抽出するように成すればよい。
【発明の効果】
【０００７】
本発明によれば、再生時には複雑な操作をすることなく記録した番組を再生可能な受信装置を提供することができる。
【図面の簡単な説明】
【０００８】
【図１】本発明の第１の実施例の構成を示す図
【図２】パケット構造およびパケットの多重方式を示す図
【図３】番組提示の手順を示す図
【図４】番組提示の手順を示す図
【図５】本発明の第２の実施例の構成を示す図
【図６】番組提示の手順を示す図
【図７】本発明の第３の実施例の構成を示す図
【図８】本発明の第４の実施例の構成を示す図
【図９】本発明の第５の実施例の構成を示す図
【図１０】本発明の第６の実施例の構成を示す図
【図１１】本発明の第７の実施例の構成を示す図
【図１２】本発明の第８の実施例の構成を示す図
【図１３】本発明の第２の多重分離手段の一構成を示す図
【図１４】本発明の第２の多重分離手段の一構成を示す図
【発明を実施するための形態】
【０００９】
本発明の実施例を図面を用いて説明する。
【００１０】
図１は本発明におけるディジタル放送信号の受信及び記録再生装置のブロック構成を示す図である。以下の説明において、アンテナ３００はQuadrature Phase Shift Keying（以下ＱＰＳＫと略記）方式でディジタル変調された衛星放送電波を受信する例を示すが、これによって本発明で使用する送信方式を衛星放送に限定し、また変調方式をＱＰＳＫ方式に限定するものではない。また信号の圧縮および伸長方式として国際標準であるMoving Picture Experts Group２（以下ＭＰＥＧ２と略記）を用いた例を示すが、これによって本発明で使用する信号の圧縮および伸長方式をＭＰＥＧ２に限定するものではない。
【００１１】
図１において、３００はアンテナ、３０１は受信した電波をチューナ入力信号に変換するコンバータ、３０２はケーブル、４０１はチューナ、４０２はＱＰＳＫ復調回路、４０３は伝送に伴う信号の誤りを訂正するForward Error Correction（以下ＦＥＣと略記）、４１４と４２４はスイッチ、４１３は第2の多重分離部、４２３は信号の記録再生手段、４０４は第1の多重分離部、４０５はＭＰＥＧ２デコーダ、４０６はビデオエンコーダ、４０７はＤ／Ａコンバータ、４０８はOn Screen Display（以下ＯＳＤと略記）、４０９は制御手段、４１０はテレビジョンで、４３４、４１５は各々第1の多重分離部４０４とＭＰＥＧ２デコーダ４０５がデータを展開する為のＲＡＭ（Random Access Memory）、４１９は制御手段４０９の動作プログラムを記憶したＲＯＭ（Read Only Memory）である。
【００１２】
図１において、衛星（図示せず）から送信された電波を、アンテナ３００で受信しコンバータ３０１でチューナ入力信号に変換してケーブル３０２を介してチューナ４０１に入力する。図１に示した例においては、チューナ４０１は制御手段４０９の設定に従って入力信号から所望の信号を選局し出力する。前記チューナ４０１の出力はＱＰＳＫ復調回路４０２で復調され、ＦＥＣ４０３に入力される。ＦＥＣ４０３は伝送に伴う入力ディジタル信号の誤り訂正を行う。
【００１３】
上記のようにして入力信号の誤り訂正を行って得られたディジタル信号をスイッチ４１４と４２４を介して第1の多重分離部４０４に入力した場合の動作を説明する。本発明で説明する衛星ディジタル放送は、一般に衛星に搭載された電波中継用トランスポンダ（図示せず）が中継する１つの電波に複数の番組を多重できるという特徴がある。この多重された番組の中から所望の番組を選択するのが第１の多重分離部４０４である。第１の多重分離部４０４で分離した信号はＭＰＥＧ２デコーダ４０５に入力される。ＭＰＥＧ２デコーダ４０５は圧縮されたディジタル信号を伸長して圧縮前のディジタル映像信号およびディジタル音声信号を再生する。
【００１４】
再生されたディジタル映像信号はＯＳＤ回路４０８を介してビデオエンコーダ４０６に、ディジタル音声信号はＤ／Ａコンバータ４０７に入力される。ビデオエンコーダ４０６は入力ディジタル映像信号をアナログ映像信号に変換してテレビジョン４１０に出力する。一方、Ｄ／Ａコンバータ４０７は入力ディジタル音声信号をアナログ音声信号に変換してテレビジョン４１０に出力する。上記の動作は、ＲＯＭ４１９に記憶したプログラムによって動作する制御手段４０９によって制御される。
【００１５】
上記の説明において、第１の多重分離部４０４において所望の番組情報を分離する一般的な手順の例を図２、図３を用いて説明する。第1の多重分離部４０４に入力される信号は図２（Ａ）に示すパケットが多重された構成である。多重の一例を図２（Ｂ）に示す。図２（Ｂ）のように多重化された信号を第1の多重分離部４０４で処理することで以下に説明するような動作を行うものである。多重分離部における動作の例を図３に示す。
【００１６】
まずステップ２０１において視聴者が見たい番組の編成チャンネルを入力する。編成チャンネルとは一つの番組を構成する映像、音声等をまとめた呼び方であり従来のアナログ放送でいうテレビチャンネルに相当する。また、ディジタル放送においては一般的に複数の番組が多重された1つの周波数を物理チャンネルと呼ぶ。次にステップ２０２において現在受信している多重化信号（＝Transport Stream,以下ＴＳと表記する）に含まれるＰＡＴ（Program Association Table）を受信する。尚、ＰＡＴは国際標準であるＭＰＥＧ２規格で規定されているＰＳＩ（Program Specific Information）のなかのテーブルの１つである。
【００１７】
ステップ２０３では、ステップ２０２で受信したＰＡＴの中から所望の編成チャンネルを検索する。所望の編成チャンネルがあればステップ２０７に移る。所望の編成チャンネルが無い場合は、ステップ２０４に移行し、ＰＳＩの１つであり、編成チャンネルと物理チャンネルの関係が記述されているＮＩＴ（Network Information Table）を受信、所望の編成チャンネルが含まれる物理チャンネルを取得し、次のステップ２０５でステップ２０４において取得した物理チャンネルに移行する。
【００１８】
物理チャンネルの移行は、実際の回路においては図１において示したように、制御手段４０９からチューナ４０１に選局すべき周波数を設定することで行われる。その後、ステップ２０６で移行後の物理チャンネルにおけるＴＳのＰＡＴを受信する。ＰＡＴを受信したら、ステップ２０７において入力された編成チャンネルを構成する映像、音声などのＰＩＤが記述されているＰＭＴ（Program Map Table）のＰＩＤ（Packet ID）をＰＡＴから取得し、前記ＰＩＤを有するＰＭＴを受信する。
【００１９】
但し、ＰＭＴはＰＳＩのテーブルの１つであり、またＰＩＤはパケットのヘッダに含まれるパケット識別子である。ＰＭＴには受信中のＴＳに含まれる各編成チャンネルを構成する映像、音声及び時間情報を示すＰＣＲ（Program Clock Reference)などのＰＩＤが記述されているので、ステップ２０８において所望の番組の映像、音声、ＰＣＲなどのＰＩＤを取得する。その後取得したＰＩＤをステップ２０９において第1の多重分離手段４０４に設定し、所望の映像、音声のストリームを受信、ＭＰＥＧ２デコーダ４０５に入力してデコードを行う。
【００２０】
以上で説明した動作によって復号した映像信号をＯＳＤ４０８を介してＮＴＳＣエンコーダで処理してアナログ信号に変換するとともに、音声信号をＤ／Ａコンバータ４０７でアナログ信号に変換してテレビジョン４１０に入力することで視聴者が希望した番組を提示することが出来る。
【００２１】
次に、スイッチ４１４と第2の多重分離部４１３を通して記録再生手段４２３に受信した信号を記録し、また記録再生手段４２３からスイッチ４２４を通して記録した信号を再生する手順を説明する。
【００２２】
記録再生手段４２３に信号を記録する場合は、制御手段４０９からの制御に従ってスイッチ４１４がＦＥＣ４０３と第2の多重分離部４１３を接続するように切り替わる。第2の多重分離部４１３は、記録したあとの再生時に視聴者が所望の番組だけを再生するために必要なデータだけを抜き出す手段である。図１の実施例においては、前述したＰＡＴ、ＰＭＴ、映像、音声などの各ＴＳに加えてＭＰＥＧ２デコーダ４０５で必要となる時間情報を示すデータであるＰＣＲ（Program Clock Reference)と、番組関情報のうち所望の番組（現在視聴している番組）に関する情報のみを抜き出す。
【００２３】
第2の多重分離部４１３の構成の一例を図１３に示す。図１３においては所望の情報を抽出する多重分離手段４１３１と、多重分離手段４１３１の出力信号の伝送レートを前記記録再生手段に適合する様に速度変換する速度変換手段４１３２から構成するものである。速度変換手段４１３２は、具体的には例えばＦＩＦＯ（Fast in Fast Out)メモリである。
【００２４】
さらに第2の多重分離部４１３の他の構成例を図１４に示す。図１４において４１３３は、第2の多重分離部４１３と記録再生手段４２３とのインターフェース手段であり、例えば速度変換手段４１３２から出力される信号がパラレル信号であった場合にシリアル信号に変換する手段である。図１３または図１４に示す例のような構成の第２の多重分離部４１３によって抜き出した信号を記録再生手段４２３に記録する。
【００２５】
再生時は、記録再生手段４２３で再生された信号をスイッチ４２４を介して多重分離手段４０４に入力する。多重分離手段４０４は記録再生手段４２３に記録された信号を再生する場合は制御手段４０９から制御して図４に示す手順で動作させる。以下、その動作を説明する。尚、一般的には番組関連情報であることを示すＰＩＤは番組によらず特定の値で示されるものであり、本実施例においてもこれを前提として説明する。
【００２６】
記録再生手段４２３から信号が入力されると第1の多重分離手段４０４は制御手段４０９からの制御にしたがって最初にステップ４４１に示すように所望の番組関連情報を受信して所望の番組関連情報に記述されている編成チャンネルの番号を取得する。次にステップ４４２においてＰＡＴを受信する。この段階で記録されている編成チャンネルのチャンネル番号がステップ４４１においてわかっているので、次のステップ４４３においては記録した番組の映像、音声などのＰＩＤが記述されているＰＭＴのＰＩＤが直ちに取得できる。以下の手順は図３において説明したのと同様である。
【００２７】
以上で説明したように本実施例においては、多重されたディジタル信号の状態で番組を記録した記録再生手段４２３から再生した番組を、視聴者が複雑な操作をすることなく直ちに多重分離してデコードし提示することが出来る。更に、所望の番組関連情報を記録しているので、ディジタル放送の特徴の１つである番組に関する情報を利用したサービスの充実を図ることが出来る。
【００２８】
図５を用いて本発明の第２の実施例を示す。図１の実施例においては第２の多重分離部４１３によって所望の番組関情報だけを抽出しているが、図５の実施例においては所望の番組に関する情報であるか否かの区別はせずに全ての番組関連情報を抽出して記録する構成としたものである。
【００２９】
図６に図５の実施例の構成を用いた場合の記録再生手段４２３からの再生信号を処理する手順を示す。図６の手順は図４において示した手順のうちステップ４４１の所望の番組関連情報から編成チャンネルを取得する手順がなくなり、編成チャンネルの情報はＰＡＴに記述されたＰＩＤが記録されているＰＭＴと一致するか否かをステップ６０１においてチェックする。一致しなければ一致するまでステップ６０１の動作を繰り返し、一致したらステップ６０２の動作に移る。この後の動作は図４のステップ４４３以降と同じである。
【００３０】
図５の実施例によれば、図１の実施例の場合より第２の多重分離部４１３の回路構成を簡略化することが出来、また図１の実施例の場合と同様に番組関連情報に記述されている番組に関する情報を利用してサービスの充実を図ることが出来る。
【００３１】
図７に本発明の第３の実施例を示す。図７の実施例が図５の実施例と異なるのは番組関連情報を抽出せず、ＰＡＴ，ＰＭＴ、ＰＣＲ及び映像、音声のデータだけを抽出するようにした点である。これにより、図５の実施例の場合より更に第２の多重分離部４１３の構成を簡略化することが出来る。
【００３２】
図８に本発明の第４の実施例を示す。図８の実施例が図１の実施例と異なるのは第２の多重分離部４１３によって抽出するのはＰＭＴ、ＰＣＲ、映像、音声だけにするとともにＰＩＤ書き換え手段４３３を設けた点である。すなわち図８の実施例においてはＰＩＤ書き換え手段４３３によってＰＭＴのＰＩＤを制御手段４０９から設定する特定の値に書き換えて記録再生手段４２３に信号を記録する構成とした。これにより、記録した信号を再生する場合にはＰＭＴのＰＩＤが予めわかっているので、ＰＭＴに記述されている映像、音声及びＰＣＲのＰＩＤが直ちに取得でき、図１の実施例の場合と同様使用者が複雑な操作をすることなく直ちに再生することが出来る。
【００３３】
図９に本発明の第５の実施例を示す。図９の実施例が図８の実施例と異なるのは第２の多重分離部４１３によって抽出するのはＰＣＲ、映像、音声の情報だけにするとともに、ＰＩＤ書き換え手段４３３によってＰＣＲ、映像、音声のＰＩＤを制御手段４０９から設定する特定の値に書き換える構成とした点である。
【００３４】
図９の実施例によれば、再生時には記録したＰＣＲ，映像、音声のＰＩＤが予めわかっているので図１の実施例の場合と同様使用者が複雑な操作をすることなく直ちに再生することが出来、また記録する情報量を図８の実施例の場合より少なく出来るとともに第２の多重分離部４１３の構成を簡略化することが出来る。
【００３５】
図１０に本発明の第６の実施例を示す。図１０の実施例が図９の実施例と異なるのはＰＩＤ書き換え手段４３３のかわりにパケット挿入手段４５３を設けた点である。図１０の実施例においては、第２の多重分離部４１３は所望のＰＣＲ、映像、音声などの各情報のＰＩＤを取得するとともに前記ＰＣＲ、映像、音声などを抽出しパケット挿入手段４５３に入力する。パケット挿入手段４５３は第２の多重分離部４１３からの入力信号に、第２の多重分離部４１３において取得したＰＣＲ、映像、音声などのＰＩＤを記述したパケットを作成して挿入し記録再生手段４２３に記録する。
【００３６】
記録した信号を再生する場合は、第１の多重分離手段４０４がまず前記パケット挿入手段４５３によって挿入したパケットを受信するように制御手段４０９から制御を行って、これに記述されているＰＣＲ、映像、音声などのＰＩＤを取得するので図９の実施例と同様に使用者が複雑な操作をすること無しに直ちに所望の番組を提示することが出来る。
【００３７】
尚、前述の説明において、パケット挿入手段４５３によって挿入するパケットのＰＩＤとしては、ＭＰＥＧ２規格で規定されているＰＡＴと同じＰＩＤを付与してもよい。ＭＰＥＧ２規格においては、ＰＡＴのＰＩＤは特定の値とすることが規定されているので、第１の多重分離手段４０４において記録再生手段４２３から再生した信号の処理を行う際には、制御手段４０９がまずＰＡＴと同じＰＩＤを有するパケットを抽出するよう第１の多重分離手段４０４を制御するようあらかじめ設定することで図１０を用いて説明した動作を実現することができる。
【００３８】
以上で説明したように、図１０の実施例を用いることで使用者が複雑な操作をすること無しに直ちに所望の番組を提示することが出来る。
【００３９】
図１１に本発明の第７の実施例を示す。図１１において４６３は伝送レート検出手段である。図１１において、第２の多重分離手段４１３は図１または図５の実施例の場合と同様、映像・音声などの情報とともに番組情報などの付加データを抽出するものである。第２の多重分離手段４１３から出力されたＴＳは伝送レート検出手段４６３に入力される。伝送レート検出手段４６３において入力ＴＳの伝送レートがあらかじめ設定した特定の値を超えたことが検出された場合、伝送レート検出手段４６３は制御手段４０９に伝送レートがあらかじめ設定した値を超えた旨を告知する信号を出力する。
【００４０】
伝送レート検出手段４６３からの告知信号が入力されると、制御手段４０９は第２の多重分離手段４１３を制御して、あらかじめ設定した優先度にしたがって番組の提示に直接影響しない情報の抽出を行わないよう制御する。すなわち、例えば第2の多重分離手段４１３から出力されるＴＳの伝送レートがあらかじめ設定した値を超えた場合は例えば番組情報の抽出を止めることで第２の多重分離手段４１３から出力される多重化信号の伝送レートが一定の値以下になるようにするものである。
【００４１】
以上で説明したように、図１１の実施例においては、例えば記録再生手段４２３として、記録できる多重化信号の伝送レートに上限がある記録手段を用いた場合に、記録する多重化信号があらかじめ設定した伝送レートを超えない限りは番組を構成する映像・音声などの情報とともに番組情報などの付加情報を記録して付加価値を高められるとともに、記録する多重化信号の伝送レートがあらかじめ設定した伝送レートを超えた場合でも番組内容の提示に直接関わらない情報の抽出をやめることで番組情報を記録することができる。
【００４２】
図１２に本発明の第8の実施例を示す。図１２において４７３はスイッチ手段である。図１２において、第2の多重分離手段４１３は著作権の保護などに関わる記録関連情報を抽出するとともに、前記記録関連情報として記録を禁止する旨の情報が抽出された場合、制御手段４０９は記録を禁止する旨の情報が抽出されたことを検出してスイッチ手段４７３を制御し第2の多重分離手段４１３から出力された信号が記録再生手段４２３に印加されないようにする。
【００４３】
すなわち図１２の実施例を用いることで、送信側において著作権の保護などの目的で記録を禁止する旨の情報を付加した信号を送出した場合に、これに従った動作をさせることができる。
【００４４】
尚、図１２の実施例においては、記録を禁止するためにスイッチ手段４７３を設けた例を示したが、制御手段４０９から第２の多重分離手段４１３の一部（速度変換手段4132など）又は全部の動作を停止させるよう制御しても同じ効果が選られることは明らかである。
【００４５】
尚、実施例においては、第1の多重分離手段４０４と第2の多重分離手段４１３を別回路として説明したが、この２つの手段は同一の回路ブロックとしても構わない。
【００４６】
また、上記実施例をまとめると、下記のような受信装置として表現できることは言うまでもない。
【００４７】
（１）映像・音声・データ等を全てディジタル情報としてあらかじめ定められたパケット形式の一つのビット列に多重して伝送するシステムにおいて、
少なくとも、伝送されたディジタル情報を受信し、あらかじめ定められた形式のビット列に復調するチャンネルデコード手段と、
前記ビット列より指定したパケットを抽出する第１のパケット分離手段と、
前記パケット分離手段より出力される映像・音声・データ等の情報を復号し、テレビジョン信号として出力するソースデコード手段と、
前記第１のパケット分離手段より出力される情報パケットを分析しシステムを制御する制御手段を備えると共に、
新たに、前記チャンネルデコード手段の出力ビット列から指定したパケットを抽出する第２のパケット分離手段と、
前記第２のパケット分離手段から出力されるビット列の伝送レートを変換する速度変換手段と、
前記速度変換手段の出力を外部記録・再生機器の入出力形式に変換するインターフェース手段を設け、
前記インターフェース手段からの入力ビット列を前記第１のパケット分離手段へ出力し、映像・音声・データ信号をテレビジョン信号として復号可能な構成としたことを特徴とするディジタル放送信号の受信装置。
（２）上記（１）の受信装置において、
前記第２のパケット分離手段は、MPEG2規格で定められたPAT（Program Association Table)パケット、１つあるいは複数のPMT（Program Specific Information）パケット及び前記PMTで定められた映像・音声・データ等のパケットを抽出する構成としたことを特徴とするディジタル放送信号の受信装置。
（３）上記（２）のディジタル放送信号の受信装置において、
外部記録・再生機器からのビット列入力時、前記制御手段は前記PATと前記PMTを比較する手段を含み、再生する映像・音声・データ等を決定する様制御する構成としたことを特徴とするディジタル放送信号の受信装置。
（４）上記（１）のディジタル放送信号の受信装置において、
前記第２のパケット分離手段は、すくなくともMPEG2規格で定められたPMTパケット及び前記PMTパケットで定められた映像・音声・データ等のパケットを抽出すると共に、前記PMTパケットのパケットIDをあらかじめ定められた値に変更する手段を設けた事を特徴とするディジタル放送信号の受信装置。
（５）上記（４）のディジタル放送信号の受信装置において、
外部記録・再生機器からのビット列入力時、前記制御手段はあらかじめ定められたパケットIDを持つPMTを抽出し、前記PMTに従って再生する映像・音声・データ等を決定する様制御する事を特徴とするディジタル放送信号の受信装置。
（６）上記（１）のディジタル放送信号の受信装置において、
前記第２のパケット分離手段は、映像・音声・データ等のパケットを抽出すると共に、前記映像・音声・データ等のパケットIDをあらかじめ定められた値に変更する手段を含む事を特徴とするディジタル放送信号の受信装置。
（７）上記（６）のディジタル放送信号の受信装置において、
外部記録・再生機器からのビット列入力時、前記制御手段はあらかじめ定められたパケットIDを持つ映像・音声・データ等を前記第１のパケット分離手段で抽出する様制御する構成としたことを特徴とするディジタル放送信号の受信装置。
（８）上記（１）のディジタル放送信号の受信装置において、
前記第２のパケット分離手段は、映像・音声・データ等のパケットを抽出すると共に、前記映像・音声・データ等のパケットIDを指定する新たなパケットを挿入する構成としたことを特徴とするディジタル放送信号の受信装置。
（９）上記（８）のディジタル放送信号の受信装置において、
前記映像・音声・データ等のパケットIDを指定する新たなパケットは、MPEG2規格で定められたPATと同一のパケットIDを有することを特徴とするディジタル放送信の受信装置。
（１０）上記（８）のディジタル放送信号の受信装置において、
外部記録・再生機器からのビット列入力時、前記制御手段は前記映像・音声・データ等のパケットIDを指定する新たなパケットを前記第１のパケット分離手段で抽出する様制御する構成としたことを特徴とするディジタル放送信号の受信装置。
（１１）上記（１）のディジタル放送信号の受信装置において、
前記第２のパケット分離手段は、少なくともMPEG2規格で定められたPATパケット、PMTパケット及び前記PMTで定められた映像・音声・データ等のパケットを抽出すると共に、前記映像・音声・データ等の内容を記述する番組情報パケットを抽出する構成としたことを特徴とするディジタル放送信号の受信装置。
（１２）上記（１１）のディジタル放送信号の受信装置において、
外部記録・再生機器からのビット列入力時、前記制御手段は前記番組情報パケットをあらかじめ抽出し、前記番組情報パケットにもとづいて前記第１のパケット分離手段で抽出する映像・音声・データ等のパケットを決定する様制御する構成としたことを特徴とするディジタル放送信号の受信装置。
（１３）上記（１１）のディジタル放送信号の受信装置において、
前記番組情報パケットは特に第２のパケット分離手段によって抽出する映像・音声・データ等のパケットの情報を記述した特定の番組情報パケットであることを特徴とするディジタル放送信号の受信装置。
（１４）上記（１３）のディジタル放送信号の受信装置において、
外部記録・再生機器からのビット列入力時、前記制御手段は前記特定の番組情報パケットをあらかじめ抽出し、前記特定の番組情報パケットにもとづいて前記第１のパケット分離手段で抽出する映像・音声・データ等のパケットを決定する様制御する構成としたことを特徴とするディジタル放送信号の受信装置。
（１５）映像・音声・データ等を全てディジタル情報としてあらかじめ定められたパケット形式の一つのビット列に多重して伝送するシステムにおいて、
少なくとも、伝送されたディジタル情報を受信し、あらかじめ定められた形式のビット列に復調するチャンネルデコード手段と、
前記ビット列より指定したパケットを抽出する第１のパケット分離手段と、前記パケット分離手段より出力される映像・音声・データ等の情報を復号し、テレビジョン信号として出力するソースデコード手段と、
前記第１のパケット分離手段より出力される情報パケットを分析しシステムを制御する制御手段を備えると共に、
新たに、前記チャンネルデコード手段の出力ビット列から指定したパケットを抽出する第２のパケット分離手段と、
前記第２のパケット分離手段から出力されるビット列の伝送レートを変換する速度変換手段と、
前記速度変換手段の出力をディジタル信号のまま記録・再生するディジタル記録・再生手段を設け、前記ディジタル記録・再生手段からの入力ビット列を前記第１のパケット分離手段へ出力し、映像・音声・データ信号をテレビジョン信号として復号可能とする構成としたことを特徴とするディジタル放送信号の受信および記録・再生装置。
（１６）上記（１５）のディジタル放送信号の受信および記録・再生装置において、
前記第２のパケット分離手段は、MPEG2規格で定められたPATパケット、PMTパケット及び前記PMTで定められた映像・音声・データ等のパケットを抽出する構成としたことを特徴とするディジタル放送信号の受信および記録・再生装置。
（１７）上記（１６）のディジタル放送信号の受信および記録・再生装置において、
前記記録・再生手段からのビット列再生時、前記制御手段は前記PATと前記PMTを比較する手段を含み、再生する映像・音声・データ等を決定する様制御する構成としたことを特徴とするディジタル放送信号の受信および記録・再生装置。
（１８）上記（１５）のディジタル放送信号の受信および記録・再生装置において、
前記第２のパケット分離手段は、すくなくともMPEG2規格で定められたPMTパケット及び前記PMTパケットで定められた映像・音声・データ等のパケットを抽出すると共に、前記PMTパケットのパケットIDをあらかじめ定められた値に変更する手段を設けた事を特徴とするディジタル放送信号の受信および記録・再生装置。
（１９）上記（１８）のディジタル放送信号の受信および記録・再生装置において、
前記記録・再生手段からのビット列再生時、前記制御手段はあらかじめ定められたパケットIDを持つPMTを抽出し、前記PMTに従って再生する映像・音声・データ等を決定する様制御する構成としたことを特徴とするディジタル放送信号の受信および記録・再生装置。
（２０）上記（１５）のディジタル放送信号の受信および記録・再生装置において、
前記第２のパケット分離手段は、映像・音声・データ等のパケットを抽出すると共に、前記映像・音声・データ等のパケットIDをあらかじめ定められた値に変更する手段を含む事を特徴とするディジタル放送信号の受信および記録・再生装置。
（２１）上記（２０）のディジタル放送信号の受信および記録・再生装置において、
前記記録・再生手段からのビット列再生時、前記制御手段はあらかじめ定められたパケットIDを持つ映像・音声・データ等を前記第１のパケット分離手段で抽出する様制御することを特徴とするディジタル放送信号の受信および記録・再生装置。
（２２）上記（１５）のディジタル放送信号の受信および記録・再生装置において、
前記第２のパケット分離手段は、映像・音声・データ等のパケットを抽出すると共に、前記映像・音声・データ等のパケットIDを指定する新たなパケットを挿入する構成としたことを特徴とするディジタル放送信号の受信および記録・再生装置。
（２３）上記（２２）のディジタル放送信号の受信および記録・再生装置において、
前記映像・音声・データ等のパケットIDを指定する新たなパケットは、MPEG2規格で定められたPATと同一のパケットIDを持つことを特徴とするディジタル放送信号の受信および記録・再生装置。
（２４）上記（２２）のディジタル放送信号の受信および記録・再生装置において、
前記記録・再生手段からのビット列再生時、前記制御手段は前記映像・音声・データ等のパケットIDを指定する新たなパケットを前記第１のパケット分離手段で抽出する様制御する構成としたことを特徴とするディジタル放送信号の受信および記録・再生装置。
（２５）上記（１５）のディジタル放送信号の受信および記録・再生装置において、
前記第２のパケット分離手段は、少なくともMPEG2で定められたPATパケット、PMTパケット及び前記PMTで定められた映像・音声・データ等のパケットを抽出すると共に、前記映像・音声・データ等の内容を記述する番組情報パケットを抽出する構成としたことを特徴とするディジタル放送信号の受信および記録・再生装置。
（２６）上記（２５）のディジタル放送信号の受信および記録・再生装置において、
前記記録・再生手段からのビット列再生時、前記制御手段は前記番組情報パケットをあらかじめ抽出し、前記番組情報パケットにもとづいて前記第１のパケット分離手段で抽出する映像・音声・データ等のパケットを決定する様制御する構成としたことを特徴とするディジタル放送信号の受信および記録・再生装置。
（２７）上記（２５）のディジタル放送信号の受信および記録・再生装置において、
前記番組情報パケットは特に第２のパケット分離手段によって抽出する映像・音声・データ等のパケットの情報を記述した特定の番組情報パケットであることを特徴とするディジタル放送信号の受信および記録・再生装置。
（２８）上記（２７）のディジタル放送信号の受信および記録・再生装置において、
前記記録・再生手段からのビット列再生時、前記制御手段は前記特定の番組情報パケットをあらかじめ抽出し、前記特定の番組情報パケットにもとづいて前記第１のパケット分離手段で抽出する映像・音声・データ等のパケットを決定する様制御する構成としたことを特徴とするディジタル放送信号の受信および記録・再生装置。
（２９）上記（１）のディジタル放送信号の受信装置において、
前記制御手段が前記映像・音声・データ等の記録不可情報を抽出した場合、前記インターフェース手段の出力を停止する手段を設けた事を特徴とするディジタル放送信号の受信装置。
（３０）上記（１）のディジタル放送信号の受信装置において、
前記制御手段が前記映像・音声・データ等の記録不可情報を抽出した場合、前記第２のパケット抽出手段の機能を停止する手段を設けた事を特徴とするディジタル放送信号の受信装置。
（３１）上記（１５）のディジタル放送信号の受信および記録・再生装置において、
前記制御手段が前記映像・音声・データ等の記録不可情報を抽出した場合、前記速度変換手段の出力を停止する手段を設けた事を特徴とするディジタル放送信号の受信および記録・再生装置。
（３２）上記（１５）のディジタル放送信号の受信および記録・再生装置において、
前記制御手段が前記映像・音声・データ等の記録不可情報を抽出した場合、前記第２のパケット抽出手段の機能を停止する手段を設けた事を特徴とするディジタル放送信号の受信および記録・再生装置。
（３３）上記（１）のディジタル放送信号の受信装置において、
前記第２のパケット分離手段は少なくともMPEG2規格で定められたPATパケット、PMTパケット及び前記PMTで定められた映像・音声・データ等のパケットを抽出すると共に、前記映像・音声・データ等の内容を記述する番組情報パケットを抽出する構成とするとともに、前記第2のパケット分離手段から出力される信号の伝送レートを検出する手段を設けたことを特徴とするディジタル放送信号の受信装置。
（３４）上記（３３）の制御手段は前記第２のパケット分離手段が出力する信号の伝送レートがあらかじめ設定した値を超えたことが伝送レート検出手段によって検出された場合はあらかじめ設定した特定のパケットの抽出を中止する様第２のパケット分離手段制御する構成としたことを特徴とするディジタル放送信号の受信装置。
（３５）上記（１５）のディジタル放送信号の受信および記録・再生装置において、
前記第２のパケット分離手段は少なくともMPEG2規格で定められたPATパケット、PMTパケット及び前記PMTで定められた映像・音声・データ等のパケットを抽出すると共に、前記映像・音声・データ等の内容を記述する番組情報パケットを抽出する構成とするとともに、前記第２のパケット分離手段から出力される信号の伝送レートを検出する手段を設けたことを特徴とするディジタル放送信号の受信および記録・再生装置。
（３６）上記（３５）の制御手段は前記第２のパケット分離手段が出力する信号の伝送レートがあらかじめ設定した値を超えたことが伝送レート検出手段によって検出された場合はあらかじめ設定した特定のパケットの抽出を中止する様第２のパケット分離手段制御する構成としたことを特徴とするディジタル放送信号の受信および記録・再生装置。
（３７）上記（１）のディジタル放送信号の受信装置において、
前記制御手段が前記映像・音声・データ等の記録不可情報を抽出した場合、前記速度変換手段の出力を停止する手段を設けた事を特徴とするディジタル放送信号の受信装置。
【符号の説明】
【００４８】
３００…アンテナ  ３０１…コンバータ  ３０２…ケーブル  ４０１…チューナ
４０２…ＱＰＳＫ復調回路  ４０３…ＦＥＣ  ４０４…多重分離部
４０５…ＭＰＥＧ２デコーダ  ４０６…ビデオエンコーダ  ４０７…Ｄ／Ａコンバータ
４０８…ＯＳＤ  ４０９…制御手段  ４１０…テレビジョン
４１３…第2の多重分離部  ４２３…記録再生手段  ４３３…ＰＩＤ書き換え手段  
４５３…パケット挿入手段
４１４、４２４…スイッチ  ４１５４３４…ＲＡＭ  ４１９…ＲＯＭ
【図１】
2010051007.tif 000003
【図２】
2010051007.tif 000004
【図３】
2010051007.tif 000005
【図４】
2010051007.tif 000006
【図５】
2010051007.tif 000007
【図６】
2010051007.tif 000008
【図７】
2010051007.tif 000009
【図８】
2010051007.tif 000010
【図９】
2010051007.tif 000011
【図１０】
2010051007.tif 000012
【図１１】
2010051007.tif 000013
【図１２】
2010051007.tif 000014
【図１３】
2010051007.tif 000015
【図１４】
2010051007.tif 000016